(57)【要約】      （修正有）【課題】操作過程において随時ブレーキをかけて使用の安全を維持することのできるブレーキ機能を備えるフードプロセッサーを提供する。【解決手段】ブレーキ装置３は本体に可動状態で配置する操作部材と、本体に設ける少なくとも一つのバネ３４と、本体に軸着するブレーキ支持体３５と、駆動軸に設けるブレーキ盤３７とを備え、前記操作部材にはプッシュ体３２を設ける。さらに、前記プッシュ体は前記ブレーキ支持体とバネとに接触し、前記操作部材がコントロールされて第一方向に移動する時、前記プッシュ体はブレーキ支持体とバネとを連動する。ブレーキ支持体はブレーキ盤に対し作用を及ぼしてブレーキ作用を生じさせ、また、前記操作部材がコントロールされて第二方向に移動する時、前記プッシュ体はブレーキ支持体とバネとの連動を解除するため、ブレーキ支持体はブレーキ盤に対する作用力を失い、ブレーキ作用が解除される。【選択図】図３
0003166901.tif 000002
【実用新案登録請求の範囲】
【請求項１】
本体と、
本体に内設する動力カット装置と、
本体に配置するブレーキ装置とにより構成され、
並びに、機械は前記動力カット装置に連接し、前記ブレーキ装置を操作して動力カット装置をブレーキ状態とするかブレーキ解除状態とするかをコントロールすることを特徴とするブレーキ機能を備えるフードプロセッサー。
【請求項２】
請求項１記載のブレーキ機能を備えるフードプロセッサーにおいて、前記ブレーキ装置には本体に可動状態で配置する操作部材と、本体に配置する少なくとも一つのバネと、本体に軸着するブレーキ支持体と、モーターの駆動軸に配置するブレーキ盤とを備え、前記操作部材にはプッシュ体を設け、前記プッシュ体は前記ブレーキ支持体とバネに接触し、前記操作部材がコントロールされて第一方向に移動する時、前記プッシュ体はブレーキ支持体とバネとを連動するため、ブレーキ支持体はブレーキ盤に対し作用を及ぼしブレーキ作用を生じさせ、また、前記操作部材がコントロールされて第二方向に移動する時、前記プッシュ体はブレーキ支持体とバネとの連動を解除するため、ブレーキ支持体はブレーキ盤に対する作用力を失いブレーキ作用が解除されることを特徴とするブレーキ機能を備えるフードプロセッサー。
【請求項３】
請求項２記載のブレーキ機能を備えるフードプロセッサーにおいて、前記ブレーキ支持体には少なくとも一つのねじりバネを設け、前記ブレーキ支持体はブレーキ盤に対して作用を及ぼすのと同時に、前記ねじりバネをねじり回転させて弾力を蓄えさせ、前記ブレーキ支持体がブレーキ盤に対する作用力を解除すると、ねじりバネに蓄えられた弾力によってブレーキ支持体を元の位置に戻すことを特徴とするブレーキ機能を備えるフードプロセッサー。
【請求項４】
請求項２記載のブレーキ機能を備えるフードプロセッサーにおいて、前記本体には少なくとも一つのストッパーを設け、且つ前記操作部材には少なくとも一つのガイド体を設け、前記操作部材が前記第二方向の一定位置に移動した時、前記ガイド体は前記ストッパーの阻止を受けて導かれ操作部材を移動させ、更にプッシュ体を移動させることを特徴とするブレーキ機能を備えるフードプロセッサー。
【請求項５】
請求項２記載のブレーキ機能を備えるフードプロセッサーにおいて、前記ストッパーは本体の上方に突出させ、前記操作部材はコの字型の棒体とし、前記ガイド体はコの字型棒体の対称となる両側に設けることを特徴とするブレーキ機能を備えるフードプロセッサー。
【請求項６】
請求項２記載のブレーキ機能を備えるフードプロセッサーにおいて、前記ブレーキ盤にはブレーキ支持体と接触させるためのブレーキ平面を設けることを特徴とするブレーキ機能を備えるフードプロセッサー。
【請求項７】
請求項６記載のブレーキ機能を備えるフードプロセッサーにおいて、前記ブレーキ支持体にはブレーキ平面に接触させるための高摩擦係数部材を設けることを特徴とするブレーキ機能を備えるフードプロセッサー。
【請求項８】
請求項７記載のブレーキ機能を備えるフードプロセッサーにおいて、前記高摩擦係数部材はゴムとすることを特徴とするブレーキ機能を備えるフードプロセッサー。
【請求項９】
請求項２記載のブレーキ機能を備えるフードプロセッサーにおいて、前記ガイド体はローラーとすることを特徴とするブレーキ機能を備えるフードプロセッサー。
【考案の詳細な説明】
【技術分野】
【０００１】
本考案は野菜や果物を料理するための機器に関し、特に、操作過程において随時ブレーキをかけて使用の安全を維持することのできるブレーキ機能を備えるフードプロセッサーに係る。
【背景技術】
【０００２】
現在市場で販売されているジューサー、ミキサー等のフードプロセッサーは一般に本体に材料通路を設け、前記材料通路には材料プッシュ体を配置し、使用者は野菜や果物を前記材料通路に入れると、野菜や果物は材料通路の底部の盤状カッター上に落ち、材料プッシュ体で野菜や果物を圧するのと同時に盤状カッターを使って野菜や果物をカットしたり細かくしたりして野菜や果物のジュースを作る。
【０００３】
公知のジューサーやミキサーはスイッチによってモーターの運転を制御するものであり、言い換えれば、スイッチを起動するとモーターが継続的に運転し、それによって駆動されるカッターは回転を続け、これとは逆にスイッチを切った場合は、モーターとカッターの電気が同時に遮断されて回転を停止させる。しかし、公知のジューサーやミキサーはブレーキ装置を備えていないため、使用過程において意外な事故が発生した場合に緊急ブレーキをかけることができず、電気を切った後にモーターを一定時間自然に回転させてからでないとストップできず、使用上の危険性を高めている。
【考案の概要】
【考案が解決しようとする課題】
【０００４】
本考案は使用過程において随時緊急ブレーキをかけて運転を停止させられるフードプロセッサーであり、これによって機器使用の安全性を高める。
【０００５】
本考案の特徴はジューサーやミキサー等のフードプロセッサーにブレーキ装置を備えることにあり、前記ブレーキ装置はモーターの駆動軸に結合するブレーキ盤と本体内に軸設するブレーキ支持体とを含み、本体には操作部材を可動状態で配置しており、使用者が前記操作部材をコントロールするとブレーキ支持体が連動され、ブレーキ支持体のブレーキ盤に対する作用力が制御されてブレーキがかかった状態となるとモーターの駆動軸の運転が停止し、または、ブレーキ支持体がブレーキ盤に与える作用力を解除してモーターの駆動軸によって盤状カッターが運転すると食物のカット作業が行える。
【課題を解決するための手段】
【０００６】
本考案の技術手段での本体には動力カット装置とブレーキ装置とを備える。前記動力カット装置には駆動軸を備えるモーターを設け、前記駆動軸には盤状カッターを連接する。前記ブレーキ装置には本体に可動状態で配置する操作部材と、本体に設ける少なくとも一つのバネと、本体に軸着するブレーキ支持体と、駆動軸に設けるブレーキ盤とを備え、前記操作部材にはプッシュ体を設け、前記プッシュ体は前記ブレーキ支持体とバネに接触し、前記操作部材がコントロールされて第一方向に移動する時、前記プッシュ体はブレーキ支持体とバネとを連動するため、ブレーキ支持体はブレーキ盤に対し作用力を与えてブレーキ作用を生じさせ、また、前記操作部材がコントロールされて第二方向に移動する時、前記プッシュ体はブレーキ支持体とバネとの連動を解除するため、ブレーキ支持体はブレーキ盤に対する作用力を失い、ブレーキ作用が解除される。
【０００７】
本考案の一実施例としてブレーキ支持体に少なくとも一つのねじりバネを設けることも可能であり、前記ブレーキ支持体はブレーキ盤に対して作用を及ぼすのと同時に、前記ねじりバネをねじり回転させて弾力を蓄えさせ、ブレーキ支持体がブレーキ盤に対する作用力を解除すると、ねじりバネに蓄えられた弾力によってブレーキ支持体は元の位置に戻る。
【０００８】
本考案の一実施例として本体上方に少なくとも一つの突出したストッパーを設けることも可能であり、前記操作部材には少なくとも一つのガイド体を設け、前記操作部材が前記第二方向の一定位置に移動した時、前記ガイド体は前記ストッパーの阻止を受けて導かれ操作部材を移動させ、更にプッシュ体を移動させてブレーキ支持体とバネを連動する。
【０００９】
本考案の一実施例として操作部材はコの字型の棒体とし、前記ガイド体はローラーとしてコの字型棒体の対称となる両側に設けることも可能であり、前記コの字型の棒体を使って使用者はそれをはじき動かす方法で便利に操作する。
【００１０】
ブレーキ時の摩擦によって発生する騒音量を低下させるために、本考案はブレーキ盤に前記ブレーキ支持体と接触させるためのブレーキ平面を設け、且つブレーキ支持体に設ける前記ブレーキ平面と接触させるための箇所を高摩擦係数部材とし、前記高摩擦係数部材はゴム、プラスチック、或いは任意の適当な材料によって作製される部材とする。
【考案の効果】
【００１１】
本考案のブレーキ機能を備えるフードプロセッサーは、操作過程において随時ブレーキをかけて使用の安全を維持できる効果を有する。
【図面の簡単な説明】
【００１２】
【図１】本考案のフードプロセッサーに関する俯瞰図である。
【図２】図１のII−II方向の断面図であり、本考案はブレーキ解除状態を示す。
【図３】図１のIII−III方向の断面図であり、本考案はブレーキ解除状態を示す。
【図４】図２の操作動作図であり、ブレーキをかけた状態の構造を示す。
【図５】図３の操作動作図であり、ブレーキをかけた状態の構造を示す。
【考案を実施するための形態】
【００１３】
次に、当該分野に熟知する者に本明細書閲読後の実施を可能とするために、図面及び部材の符合の説明を組み合わせて本考案の実施例に更なる詳細説明を行う。
【００１４】
図１乃至図３に示す本考案のブレーキ機能を備えるフードプロセッサーは、本体１と本体に内設する動力カット装置２とブレーキ装置３とを含む。前記動力カット装置２は駆動軸２１１を備えるモーター２１を備え、前記モーター２１は直立状態に配置し、前記駆動軸２１１は上方向に垂直に延伸し、しかも駆動軸２１１上端には盤状カッター２２を連接するため盤状カッター２２はほぼ水平状態に配置する。盤状カッター２２に対応する本体１の上方には垂直状態の材料通路１０を備え、野菜や果物等の食物を前記材料通路１０から盤状カッター２２上に入れる。また、前記材料通路１０内を軸方向に移動する材料棒１１を組み合わせ、食物を材料通路１０に入れた後、材料棒１１を使って圧せられた食物は、回転中の盤状カッター２２によって汁液を得るために充分に細かく削られたりカットされ、汁液は液体出口１３から流れ出る。
【００１５】
本考案のブレーキ装置３には本体１に可動状態で配置する操作部材３１と、本体１に設ける少なくとも一つのバネ３４と、本体１内に軸着するブレーキ支持体３５と、駆動軸２１１に設けるブレーキ盤３７とを備える。前記操作部材３１の一実施例はコの字型の棒体とし、二つの自由端に近い箇所の内側対称位置にそれぞれ水平状態のプッシュ体３２を配置し、二つのプッシュ体３２は本体１の外殻の対称となる両側の垂直溝１４を通過して本体１内部に進入し、プッシュ体３２は溝１４内を本体１に対して回転するが、溝１４の長さに沿って本体１に対して移動することも可能である。前記操作部材３１の二つの内側に対する対称位置にガイド体３３を配置し、前記ガイド体３３は一実施例ではローラーとする。本体１の上端には本体１表面に突出するストッパー１２を設け、前記ストッパー１２の側面には斜面１２１を形成しているため、前記ガイド体３３が斜面１２１に沿って上方向のストッパー１２上端まで移動するのを導く。
【００１６】
前記ブレーキ支持体３５は枢軸３５１によって本体１内部に軸着される。枢軸３５１は少なくとも一つのねじりバネ３６を設けるのを最も良い例とし、ねじりバネ３６の両端はそれぞれ本体１内側とブレーキ支持体３５に作用を与える。ブレーキ支持体３５の下端と本体１内に設けるバネ３４の下端は何れもプッシュ体３２の上面に接触し、ブレーキ支持体３５の上端には高摩擦係数部材３５２を設けるのが最も良く、前記高摩擦係数部材３５２はゴム、プラスチック、複合材等の材質によって製作される部材とする。ブレーキ盤３７は盤状カッター２２とモーター２１間の駆動軸２１１に固定され、ブレーキ盤３７の下面には環状且つブレーキ支持体３５上端位置に対応するブレーキ平面３７１を設ける。
【００１７】
図２及び図３は本考案のフードプロセッサーの使用に関し、ブレーキ装置３がブレーキを解除しモーター２１を運転させる状態を示した図である。当該操作方式では操作部材３１をプッシュ体３２を円心とする上方向に本体１に対して回転させることにより、ガイド体３３はストッパー１２の斜面１２１の働きを受けてストッパー１２の上端まで上方向に導かれ、操作部材３１とプッシュ体３２もそれに伴い上方向に一定距離移動し、プッシュ体３２が上方向に移動する過程において押されて動くブレーキ支持体３５は枢軸３５１を軸心として一定角度に回転すると、ブレーキ支持体３５上端の高摩擦係数部材３５２はブレーキ平面３７１を離脱し、それと同時にねじりバネ３６はねじられて弾力を蓄え、プッシュ体３２もまたバネ３４を圧迫して弾力を蓄えさせる。
【００１８】
図４及び図５には本考案のフードプロセッサーの使用過程において緊急ブレーキをかけて機械を止める場合の図を示す。操作部材３１をプッシュ体３２を円心として本体１に対して下方向にはじき動かすだけで、ガイド体３３をストッパー１２の斜面１２１に沿って落下させることができ、それによってバネ３４の助けを借りてプッシュ体３２は溝１４に沿って下方向に一定距離移動する。この時、プッシュ体３２はブレーキ支持体３５下端に対する上方向の作用力を解除し、ねじりバネ３６の弾力によって動かされたブレーキ支持体３５が動き、その上端の高摩擦係数部材３５２は上方向のブレーキ盤３７のブレーキ平面３７１を圧する。二つの部材間に生じる摩擦力を使ってブレーキ盤３７に固定される駆動軸２１１は運転を停止させ、緊急ブレーキでの機械停止機能を達成する。
【００１９】
前述は本考案の実施例を解釈することを目的としているだけであり、本考案のいかなる形式上にも制限を加えるものではない。よって、同様の考案精神の下に為される本考案に関する修飾及び変更は何れも本考案の意図する保護範囲に含まれるものとする。
【符号の説明】
【００２０】
１    本体
１０    材料通路
１１    材料棒
１２    ストッパー
１２１  斜面
１３    液体出口
１４    溝
２    動力カット装置
２１    モーター
２１１  駆動軸
２２    盤状カッター
３    ブレーキ装置
３１    操作部材
３２    プッシュ体
３３    ガイド体
３４    バネ
３５    ブレーキ支持体
３５１  枢軸
３５２  高摩擦係数部材
３６    ねじりバネ
３７    ブレーキ盤
３７１  ブレーキ平面
【図１】
0003166901.tif 000003
【図２】
0003166901.tif 000004
【図３】
0003166901.tif 000005
【図４】
0003166901.tif 000006
【図５】
0003166901.tif 000007
【手続補正書】
【提出日】平成23年1月26日(2011.1.26)
【手続補正１】
【補正対象書類名】実用新案登録請求の範囲
【補正対象項目名】全文
【補正方法】変更
【補正の内容】
【実用新案登録請求の範囲】
【請求項１】
本体と、
本体に内設する動力カット装置と、
ブレーキ装置とにより構成され、
前記動力カット装置には駆動軸を備えるモーターを設け、前記駆動軸には盤状カッターを連接し、
前記ブレーキ装置には本体に可動状態で配置する操作部材と、本体に配置する少なくとも一つのバネと、本体に軸着するブレーキ支持体と、駆動軸に配置するブレーキ盤とを備え、前記操作部材にはプッシュ体を設け、前記プッシュ体は前記ブレーキ支持体と前記バネに接触し、前記操作部材がコントロールされて第一方向に移動する時、前記プッシュ体は前記ブレーキ支持体と前記バネとを連動するため、前記ブレーキ支持体は前記ブレーキ盤に対し作用を及ぼしブレーキ作用を生じさせ、また、前記操作部材がコントロールされて第二方向に移動する時、前記プッシュ体は前記ブレーキ支持体と前記バネとの連動を解除するため、前記ブレーキ支持体は前記ブレーキ盤に対する作用力を失いブレーキ作用が解除されることを特徴とするブレーキ機能を備えるフードプロセッサー。
【請求項２】
請求項１記載のブレーキ機能を備えるフードプロセッサーにおいて、前記ブレーキ支持体には少なくとも一つのねじりバネを設け、前記ブレーキ支持体はブレーキ盤に対して作用を及ぼすのと同時に、前記ねじりバネをねじり回転させて弾力を蓄えさせ、前記ブレーキ支持体がブレーキ盤に対する作用力を解除すると、ねじりバネに蓄えられた弾力によってブレーキ支持体を元の位置に戻すことを特徴とするブレーキ機能を備えるフードプロセッサー。 
【請求項３】
請求項１記載のブレーキ機能を備えるフードプロセッサーにおいて、前記本体には少なくとも一つのストッパーを設け、且つ前記操作部材には少なくとも一つのガイド体を設け、前記操作部材が前記第二方向の一定位置に移動した時、前記ガイド体は前記ストッパーの阻止を受けて導かれ操作部材を移動させ、更にプッシュ体を移動させることを特徴とするブレーキ機能を備えるフードプロセッサー。 
【請求項４】
請求項１記載のブレーキ機能を備えるフードプロセッサーにおいて、前記ストッパーは本体の上方に突出させ、前記操作部材はコの字型の棒体とし、前記ガイド体はコの字型棒体の対称となる両側に設けることを特徴とするブレーキ機能を備えるフードプロセッサー。
【請求項５】
請求項１記載のブレーキ機能を備えるフードプロセッサーにおいて、前記ブレーキ盤にはブレーキ支持体と接触させるためのブレーキ平面を設けることを特徴とするブレーキ機能を備えるフードプロセッサー。
【請求項６】
請求項５記載のブレーキ機能を備えるフードプロセッサーにおいて、前記ブレーキ支持体にはブレーキ平面に接触させるための高摩擦係数部材を設けることを特徴とするブレーキ機能を備えるフードプロセッサー。
【請求項７】
請求項６記載のブレーキ機能を備えるフードプロセッサーにおいて、前記高摩擦係数部材はゴムとすることを特徴とするブレーキ機能を備えるフードプロセッサー。
【請求項８】
請求項１記載のブレーキ機能を備えるフードプロセッサーにおいて、前記ガイド体はローラーとすることを特徴とするブレーキ機能を備えるフードプロセッサー。